(57)【要約】  本発明は、無線通信装置（１０）を通じて音声信号を出力するシステム及び方法を開示する。音声信号と関係する映像信号は、音声・映像システム（４０）の１台以上のディスプレイ（４８）に出力されている。音声・映像システム（４０）は、１台以上のディスプレイ（４８）に映像信号を出力するコントローラと、無線通信装置（１０）に映像信号に付随する音声信号を送信するトランシーバ（５４）とを備える。無線通信装置（１０）内のトランシーバは、音声・映像システム（４０）から送信された音声信号を受信し、音声処理回路は、無線通信装置（１０）のユーザに対して音声信号を可聴音として出力する。
2008515277.tif 000002
【特許請求の範囲】
【請求項１】
音声・映像ネットワークで使用する無線通信装置（１０）であって、
前記無線通信装置（１０）が音声・映像システム（４０）のディスプレイ（４８）の近傍に位置するとき、前記音声・映像システム（４０）を検出し、前記無線通信装置（１０）と前記音声・映像システム（４０）との間のアドホック通信リンクを確立するコントローラ（２０）と、
前記音声・映像システム（４０）が前記ディスプレイ（４８）に出力する映像信号に付随する音声信号を、前記音声・映像システム（４０）から前記確立した通信リンクを介して受信するトランシーバ（３０）と、
前記無線通信装置（１０）のユーザに対し、前記受信音声信号を可聴音として出力する音声処理回路（２４）と、
を備えることを特徴とする無線通信装置。
【請求項２】
前記トランシーバ（３０）は、前記音声・映像システム（４０）内の対応する短距離トランシーバ（５４）と通信する短距離トランシーバを備えることを特徴とする請求項１に記載の無線通信装置。
【請求項３】
無線通信ネットワーク（６０）内の基地局サブシステム（６２）と信号を送受信する長距離トランシーバ（２６）を更に備えることを特徴とする請求項２に記載の無線通信装置。
【請求項４】
前記コントローラ（２０）は、無線通信ネットワーク（６０）内の基地局サブシステム（６２）を介した前記無線通信装置（１０）と前記音声・映像システム（４０）との間の前記通信リンクを確立することを特徴とする請求項１に記載の無線通信装置。
【請求項５】
ユーザによりあらかじめ設定されたユーザプレファレンス情報を格納するメモリ（２２）を更に備えることを特徴とする請求項１に記載の無線通信装置。
【請求項６】
前記トランシーバ（３０）は、前記音声・映像システム（４０）に前記ユーザプレファレンス情報を送信することを特徴とする請求項５に記載の無線通信装置。
【請求項７】
前記ユーザプレファレンス情報は、選択言語を指定する情報を含むことを特徴とする請求項５に記載の無線通信装置。
【請求項８】
前記ユーザが前記ユーザプレファレンス情報を手動で選択することを可能にするための、前記無線通信装置（１０）に配置されるキーパッド（１４）及びディスプレイ（１２）を更に備えることを特徴とする請求項５に記載の無線通信装置。
【請求項９】
前記コントローラ（２０）は、前記音声・映像システム（４０）に対して前記無線通信装置（１０）を証明することを特徴とする請求項１に記載の無線通信装置。
【請求項１０】
前記コントローラ（２０）は、前記音声・映像システム（４０）から受信した暗号化された音声信号を復号することを特徴とする請求項１に記載の無線通信装置。
【請求項１１】
前記無線通信装置（１０）は携帯電話を構成することを特徴とする請求項１に記載の無線通信装置。
【請求項１２】
無線通信装置（１０）に音声信号を供給する方法であって、
前記無線通信装置（１０）が音声・映像システム（４０）のディスプレイ（４８）の近傍に位置するとき、前記音声・映像システム（４０）を検出する検出ステップと、
前記無線通信装置（１０）と前記音声・映像システム（４０）との間のアドホック通信リンクを確立する確立ステップと、
前記音声・映像システム（４０）が前記ディスプレイ（４８）に出力する映像信号に付随する音声信号を、前記通信リンクを通じて前記音声・映像システム（４０）から受信する受信ステップと、
受信した前記音声信号を、前記無線通信装置（１０）において、可聴音として出力する出力ステップと、
を有することを特徴とする方法。
【請求項１３】
前記確立ステップは、前記無線通信装置内の短距離トランシーバ（３０）と前記音声・映像システム内の対応する短距離トランシーバ（５４）との間の短距離インタフェースを確立することを特徴とする請求項１２に記載の方法。
【請求項１４】
前記確立ステップは、無線通信ネットワーク（６０）内の基地局サブシステム（６２）を介した前記無線通信装置（１０）と前記音声・映像システム（４０）との間の通信リンクを確立することを特徴とする請求項１２に記載の方法。
【請求項１５】
前記確立ステップは、前記無線通信装置（１０）を認証するステップを含むことを特徴とする請求項１２に記載の方法。
【請求項１６】
前記確立ステップは、前記音声信号に関するユーザプレファレンス情報をネゴシエートするステップを含むことを特徴とする請求項１２に記載の方法。
【請求項１７】
前記音声・映像システム（４０）に前記ユーザプレファレンス情報を送信する送信ステップを更に有することを特徴とする請求項１６に記載の方法。
【請求項１８】
前記ユーザプレファレンス情報は前記無線通信装置（１０）のメモリに格納されることを特徴とする請求項１６に記載の方法。
【請求項１９】
前記ユーザプレファレンス情報は選択言語を含むことを特徴とする請求項１６に記載の方法。
【請求項２０】
前記音声・映像システム（４０）によって送信される音声信号を選択する選択ステップを更に有することを特徴とする請求項１２に記載の方法。
【請求項２１】
前記選択ステップは、前記音声・映像システム（４０）が前記ディスプレイ（４８）上に表示する前記映像信号に関係付けられているインジケータ（１１４）を前記音声・映像システム（４０）に送信するステップを含むことを特徴とする請求項２０に記載の方法。
【請求項２２】
前記無線通信装置（１０）で音声信号を復号する復号ステップを更に有することを特徴とする請求項１２に記載の方法。
【請求項２３】
音声・映像システム（４０）であって、
映像信号を表示するディスプレイ（４８）と、
無線通信装置（１０）に前記映像信号に付随する音声信号を送信するトランシーバと、
前記無線通信装置が前記ディスプレイ（４８）の近傍に位置するとき、前記無線通信装置（１０）を検出し、該無線通信装置（１０）とアドホック通信リンクを確立するコントローラ（４４）と、
を備えることを特徴とする音声・映像システム。
【請求項２４】
前記トランシーバは短距離トランシーバ（５４）であり、前記コントローラ（４０）は、前記短距離トランシーバ（５４）と前記無線通信装置（１０）内の対応する短距離トランシーバ（３０）との間の短距離インタフェースとして前記通信リンクを確立することを特徴とする、請求項２３に記載の音声・映像システム。
【請求項２５】
無線通信ネットワーク（６０）内の基地局サブシステム（６２）と信号を送受信する長距離トランシーバ（５０）を更に備えることを特徴とする請求項２４に記載の音声・映像システム。
【請求項２６】
前記トランシーバは長距離トランシーバ（５０）であり、前記コントローラ（４４）は、無線通信ネットワーク（６０）を介した前記長距離トランシーバ（５０）と前記無線通信装置（１０）との間の長距離インタフェースとして前記通信リンクを確立することを特徴とする請求項２３に記載の音声・映像システム。
【請求項２７】
前記コントローラ（４４）は更に、前記音声信号に関するユーザプレファレンス情報をネゴシエートすることを特徴とする請求項２３に記載の音声・映像システム。
【請求項２８】
前記コントローラ（４４）に結合され、前記ユーザプレファレンス情報を格納するメモリ（４６）を更に有し、前記コントローラ（４４）は、前記通信リンクが確立されたときに前記ユーザプレファレンス情報を読み込むことを特徴とする請求項２７に記載の音声・映像システム。
【請求項２９】
前記トランシーバは、前記無線通信リンクを介して、前記無線通信装置（１０）から前記ユーザプレファレンス情報を受信することを特徴とする請求項２７に記載の音声・映像システム。
【請求項３０】
前記ユーザプレファレンス情報は選択言語を含むことを特徴とする請求項２７に記載の音声・映像システム。
【請求項３１】
前記コントローラ（４４）は更に、前記無線通信装置（１０）を認証することを特徴とする請求項２３に記載の音声・映像システム。
【請求項３２】
前記コントローラ（４４）は更に、前記無線通信装置（１０）に前記音声信号を送信する前に、前記音声信号を暗号化することを特徴とする請求項２３に記載の音声・映像システム。
【請求項３３】
複数の映像信号を表示する複数のディスプレイ（１１２）を更に備え、前記コントローラ（４４）は、前記複数のディスプレイ（１１２）に前記複数の映像信号を出力することを特徴とする請求項２３に記載の音声・映像システム。
【請求項３４】
前記コントローラ（４４）は更に、前記複数の映像信号の各映像信号に、各映像信号と対応する音声信号を関係付けるインジケータ（１１４）を割り当てることを特徴とする請求項３３に記載の音声・映像システム。
【請求項３５】
前記コントローラ（４４）は、前記トランシーバが選択したインジケータに関係付けられている前記音声信号を前記無線通信装置（１０）に送信するよう前記トランシーバを制御することを特徴とする請求項３４に記載の音声・映像システム。
【請求項３６】
無線通信装置（１０）に音声信号を供給する方法であって、
音声・映像システム（４０）のディスプレイ（４８）上に映像信号を出力する出力ステップと、
前記ディスプレイ（４８）の近傍に位置する無線通信装置（１０）を検出する検出ステップと、
前記無線通信装置（１０）と前記音声・映像システム（４０）との間のアドホック通信リンクを確立する確立ステップと、
表示される前記映像信号に付随する音声信号を前記無線通信装置（１０）に送信する送信ステップと、
を有することを特徴とする方法。
【請求項３７】
前記確立ステップは、前記無線通信装置（１０）内の短距離トランシーバ（３０）と前記音声・映像システム（４０）内の対応する短距離トランシーバ（５４）との間の短距離インタフェースを確立することを特徴とする請求項３６に記載の方法。
【請求項３８】
前記確立ステップは、無線通信ネットワーク（６０）を介した前記無線通信装置（１０）と前記音声・映像システム（４０）との間の通信リンクを確立することを特徴とする請求項３６に記載の方法。
【請求項３９】
前記確立ステップは、前記音声・映像システム（４０）で前記無線通信装置（１０）を認証するステップを含むことを特徴とする請求項３６に記載の方法。
【請求項４０】
前記確立ステップは、前記音声信号に関するユーザプレファレンス情報をネゴシエートするネゴシエーションステップを含むことを特徴とする請求項３６に記載の方法。
【請求項４１】
前記ネゴシエーションステップは、前記無線通信装置（１０）から前記ユーザプレファレンス情報を受信するステップを含むことを特徴とする請求項４０に記載の方法。
【請求項４２】
前記ネゴシエーションステップは、前記音声・映像システム（４０）でメモリ（４６）から前記ユーザプレファレンス情報を読み出すステップを含むことを特徴とする請求項４０に記載の方法。
【請求項４３】
前記ユーザプレファレンス情報は選択言語を含むことを特徴とする請求項４０に記載の方法。
【請求項４４】
前記無線通信装置（１０）に前記音声信号を送信する前に、前記音声信号を暗号化するステップを更に有することを特徴とする請求項３６に記載の方法。
【請求項４５】
前記音声・映像システム（４０）に配置される複数のディスプレイ（１１２）に、複数の映像信号を出力するステップを更に備えることを特徴とする請求項３６に記載の方法。
【請求項４６】
前記複数の映像信号の各映像信号にインジケータ（１１４）を割り当てるステップを更に有し、各インジケータは前記映像信号と対応する音声信号を関係付けることを特徴とする請求項４５に記載の方法。
【請求項４７】
前記ディスプレイ（１１２）上に、前記割り当てられた映像信号とともに前記インジケータ（１１４）を表示するステップを更に有することを特徴とする請求項４６に記載の方法。
【請求項４８】
前記無線通信装置（１０）から選択されたインジケータを受信するステップと、前記選択されたインジケータに関係付けられる前記音声信号を前記無線通信装置（１０）に送信するステップとを更に有することを特徴とする請求項４７に記載の方法。
【発明の詳細な説明】
【技術分野】
【０００１】
本発明は、無線通信装置に関し、特に、リモートで表示される映像信号に付随する音声を提供する無線通信装置に関する。
【背景技術】
【０００２】
公衆が共用ディスプレイに出力される映像を見る機会は多い。例えば航空会社では一般に、乗客向けに機内映画を上映する。空港ではたいてい、ターミナルの至る所に設置したテレビで、ニュースや他の番組を流す。また、日本の東京などの大都市では、公衆が多く集まる場所で特大の表示画面に商業広告、ニュースあるいは天候を表示する。これらの例では、公衆は、映像出力を見るとともに１台以上のスピーカを通じて付随する音声を聞くことができる。
【０００３】
しかし、公共の場には本質的に可聴ノイズが存在する。そのため、スピーカを通じた音声を見物人に聞かせることが難しい場合も多い。また、映像出力を見ているユーザは付随する音声を制御することがほとんどあるいは全くできないのが普通である。そこで、ユーザはディスプレイで映像を見ながらリモート装置を使用して音声を操作できるようになると都合がよい。この点、無線通信装置は、市場に行き渡っており、ユーザが映像に付随する音声を聞くことができ、かつその操作が行えるにするための、理想的な装置であるといえよう。
【発明の開示】
【０００４】
本発明は、音声・映像システムと無線通信装置とを備える。本システムは、公衆がアクセスできる共用ディスプレイに映像信号を出力し、付随する音声信号をユーザの無線通信装置に出力する。ユーザは、システムに音声ストリーム出力を要求し、その音声ストリーム出力を操作することができる。
【０００５】
１つの実施形態では、音声・映像システム及び無線通信装置は、対応する短距離トランシーバを有する。音声・映像システムは、ディスプレイに映像信号を出力することができる。ユーザ装置がディスプレイの近傍に来ると、通信リンク（例えば、短距離インタフェース）が２台の短距離トランシーバ間に確立される。音声・映像システムとユーザ装置とは、ユーザがあらかじめ設定した選択言語を含みうるユーザ・プレファレンスをネゴシエートする。代わりに、ユーザは、無線通信装置のキーパッドからプレファレンスを入力してもよい。いったんリンクが確立すると、システムは表示中の映像に付随する音声信号を無線通信装置に送信する。ユーザ装置の音声処理回路は音声信号を受信すると、付属のスピーカ又はヘッドセットを通して、可聴音として音声信号を提供する。
【０００６】
別の実施形態では、音声・映像システム及び無線通信装置は、無線通信ネットワーク内に配置された１つ以上の基地局サブシステムと通信する対応する長距離トランシーバを有する。無線通信ネットワークは一般に、ユーザ装置の位置を追跡し、音声・映像システムとユーザ装置との間の通信リンクを仲介する。通信リンクの確立は、音声・映像システムに対するユーザの地理的位置に基づいてするものでもよいし、無線通信装置又は音声・映像システムのどちらかから受信する要求に応答してするものでもよい。前記の実施形態のように、例えば選択言語に関するユーザ・プレファレンス情報が無線通信ネットワークを通してユーザ装置から音声・映像システムに中継されてもよい。音声・映像システムは音声信号を送信し、その音声信号は、次に無線通信ネットワークによりユーザ装置に中継される。そしてユーザ装置は、受信音声信号を可聴音としてユーザに提供する。
【発明を実施するための最良の形態】
【０００７】
図１は、本発明の一実施形態による無線通信装置１０を示す図である。本実施形態では例えば、無線通信装置１０は携帯電話を構成する。ただし、本発明はこれに限定されるものではなく、携帯情報端末（ＰＤＡ）、衛星電話、パーソナル通信サービス（ＰＣＳ）装置、パームトップ・コンピュータなどの、通信能力を有するあらゆるコンシューマ・エレクトロニクス機器に適用可能であることは、当業者には直ちに理解されよう。
【０００８】
無線通信装置１０は、ディスプレイ１２、キーパッド１４、マイクロホン１６、スピーカ１８、コントローラ２０、メモリ２２、及び音声処理回路２４を有する。ディスプレイ１２はコントローラ２０に接続され、ユーザがダイヤルした数字、呼の状態、メニューオプション、及び他のサービス情報を見ることを可能にする。キーパッド１４は無線通信装置１０の表面に設けられ、キーパッド１４は、英数字キーパッドをはじめ、ジョイスティック、操作ボタン、ダイヤル（不図示）などの操作入力部を含む。キーパッド１４により、ユーザは、番号をダイヤルし、コマンドを入力し、メニューシステムからオプションを選択することが可能である。加えて、このキーパッド１４により、ユーザはリモートネットワークから発信される問い合わせに応答して情報を入力することも可能である。マイクロホン１６は、ユーザの音声を電気音響信号に変換し、スピーカ１８は、受信音声信号をユーザが聞くことのできる可聴音に変換する。マイクロホン１６及びスピーカ１８は、音声処理回路２４を介してコントローラ２０に通信可能に結合されており、公知の任意のトランスデューサを備えてもよい。スピーカ１８は、無線通信装置１０の筐体内に収容されてもよいし、無線通信装置１０に通常結合しているヘッドセット３４（図４）の一部として収容されてもよいし、あるいは両方に収容されてもよい。後述するように、スピーカ１８及び／又はヘッドセット３４により、ユーザは、リモートのディスプレイに表示されている特定の映像信号に付随する音声を聞くことが可能である。
【０００９】
コントローラ２０は、メモリ２２に格納されたプログラムにより無線通信装置１０の動作を制御する。コントローラ２０は、１個のマイクロプロセッサ又は複数個のマイクロプロセッサの中に実装されうる。好適なコントローラ２０は、例えば汎用マイクロプロセッサ及び特定用途向けマイクロプロセッサ、あるいはデジタル信号処理プロセッサを含む構成とすることができる。コントローラ２０は音声処理回路２４と直接接続してもよく、その音声処理回路２４は、基本的なアナログ出力信号をスピーカ１８に供給し、アナログ音声入力をマイクロホン１６から受け取る。メモリ２２は、ランダム・アクセス・メモリ（ＲＡＭ）と読み出し専用メモリ（ＲＯＭ）のいずれも有してもよい。コンピュータプログラム命令及び動作に必要なデータは、ＥＰＲＯＭ、ＥＥＰＲＯＭ及び／又はフラッシュメモリなどの不揮発性メモリに格納される。これらはディスクリートデバイス、スタックトデバイスとして実装されてもよいし、あるいはコントローラ２０とともに集積化されてもよい。
【００１０】
無線通信装置１０は、長距離トランシーバ２６及び短距離トランシーバ３０も有する。長距離トランシーバ２６は、無線通信ネットワークの１つ以上の基地局サブシステムとの間で信号を送受信するため、アンテナ２８に結合されている。長距離通信トランシーバ２６は、フル機能装備のセルラ無線トランシーバであり、GSM (Global System for Mobile Communications)、TIA/EIA-136、cdmaOne、cdma2000、UMTS及び広帯域CDMAなどの公知の標準規格に準拠して動作する。
【００１１】
短距離トランシーバ３０は、短距離インタフェースを通して対応する短距離トランシーバとの間で信号を送受信するため、アンテナ３２に結合されている。一実施形態においては、短距離トランシーバ３０は、ブルートゥーストランシーバ又はＩＥＥＥ８０２．１１ファミリ標準規格に準拠して動作するＲＦトランシーバである。当業界では周知のように、ブルートゥースはアドホックネットワークの作成を可能にする汎用無線インタフェースであり、とりわけ短距離通信に好適なものである。ブルートゥース技術に関する詳細については、Jaap Haartsen著、「Bluetooth - The Universal Radio Interface for ad hoc, wireless connectivity」（Ericsson Review No. 3, 1998）を参照されたい。短距離トランシーバ３０は、ブルートゥース標準規格に準拠して動作するものとして説明するが、この短距離トランシーバ３０は、これに限定されるものではなく、赤外線などの短距離で信号の送受信が可能な、任意の公知技術を利用できることは、当業者には理解されよう。
【００１２】
本発明によれば、短距離トランシーバ３０及び／又は長距離トランシーバ２６により、無線通信装置１０は、図２に例示される音声・映像システム４０などのリモート音声・映像システムの対応するトランシーバと信号を通信することが可能である。音声・映像システム４０は、サーバ４２、ディスプレイ４８、短距離トランシーバ５４及び長距離トランシーバ５０を備える。音声・映像システム４０は、例えば、飛行機に設置され、機内映画を上映するものとすることもできるし、あるいは、空港内に設置して、ターミナルのいたる所に分散した１台以上のテレビにテレビ番組を表示するように構成することもできる。本実施形態では、音声・映像システム４０は、例えば町の広場などの公衆が利用できる場所に設置される。音声・映像システム４０は、音声・映像システム４０に接続している表示画面に映像を出力し、すぐ近くの１台以上の無線通信装置１０に音声信号を配信する。
【００１３】
サーバ４２は、コンピュータ装置などの任意の公知のサーバで、コントローラ４４及びメモリ４６を有する。以下で詳細に説明するように、サーバ４２は、ディスプレイ４８に映像信号を出力することと、長距離トランシーバ５０及び／又は短距離トランシーバ５４を介して、１台以上の無線通信装置１０に付随する音声信号を出力することに関与する。なお、図には明示的に示されていないが、音声・映像システム４０のオペレータがシステム機能及び管理機能を実施するのを可能にするため、サーバ４２は、パブリックＩＰネットワーク（例えば、インターネット）及びプライベートＩＰネットワークの両方に接続されるものとする。
【００１４】
コントローラ４４は、コントローラ２０と同じように、メモリ４６に格納されたプログラム及びデータにより、音声・映像システム４０の動作を制御するもので、１個のマイクロプロセッサ又は複数個のマイクロプロセッサとして実装されてもよい。本発明に従って、コントローラ４４は、ディスプレイ４８に表示する映像信号を出力し、１台以上のユーザの無線通信装置１０に映像信号に付随する音声信号を出力する。所望の場合は、コントローラ４４は、無線通信装置１０に送信する前に音声信号を暗号化するため、周知の標準規格を使用するように構成されてもよいし、さらに周知の認証技術に従って無線通信装置１０を認証するように構成されてもよい。また、コントローラ４４は、ユーザに音声を配信する方法の決定において、特定のユーザに関連するプレファレンス情報を使用するように構成されてもよい。
【００１５】
メモリ４６は、無線通信装置１０のメモリ２２と同様である。しかし、実施態様によっては、メモリ４６が、ユーザプレファレンス情報を格納するものもある。前述のように、コントローラ４４は、必要又は所望に応じてこれらのファイルを読み出して使用する。そして要求に応答して、あるいは無線通信装置１０の検出に応答して、音声・映像システム４０と無線通信装置１０との間の通信リンクを確立する。
【００１６】
映像ディスプレイ４８は、テレビ、液晶ディスプレイ（ＬＣＤ）、プラズマ・スクリーン、投射スクリーンなどの公知のディスプレイでよい。映像ディスプレイ４８は、コントローラ４４が出力する映像信号を表示する媒体を提供し、１人以上が出力映像信号を確実に見ることを可能にする所望のいかなるサイズでもよい。本実施形態では、映像ディスプレイ４８は、大都市のビルの壁面などの公衆がアクセスできる場所にある実質的に永久的な構造物に固定して取り付けられる。
【００１７】
短距離トランシーバ５４は、短距離インタフェースを介して無線通信装置１０の短距離トランシーバ３０と通信するためのアンテナ５６を有する。無線通信装置１０のトランシーバ３０と同様に、短距離トランシーバ５４は、ブルートゥーストランシーバ又は短距離で信号を送受信可能な任意の項のトランシーバを使用できる。短距離トランシーバ５４は、トランシーバ３０と５４との間に通信リンクが確立されている間、無線通信装置１０とコントローラ４４との間で信号を通信する。
【００１８】
長距離トランシーバ５０は、無線通信ネットワーク（図３）内の１つ以上の基地局サブシステムと信号を送受信するため、アンテナ５２と結合されている。無線通信装置１０の長距離トランシーバ２６と同様に、長距離トランシーバ５０も、任意の公知の標準規格に準拠して動作するフル機能装備のセルラ方式無線トランシーバである。無線通信ネットワークとの通信を容易にするため、長距離トランシーバ５０はネットワークから固有の識別子を割り当てられてもよく、こうして、無線通信ネットワークを介して無線通信装置１０と通信することが可能になる。なお、図２では、長距離トランシーバ５０及び短距離トランシーバ５４をサーバ４２から独立して図示しているが、トランシーバ５０及び５４の一方又は双方をサーバ４２の一部とした構成でもよい。
【００１９】
図３は、本発明の一実施形態による長距離トランシーバ２６及び／又は５０とともに使用するのに適した無線通信ネットワーク６０の典型的な構成を示す図である。ネットワーク６０は、任意の公知の標準規格に準拠して動作するもので、移動通信交換局（ＭＳＣ）６６に接続している１つ以上の基地局サブシステム（ＢＳＳ）６２を備える。各ＢＳＳは、１つ以上のアンテナ６４を有し、セルとよばれる特定の地理的領域において、無線通信装置１０及び長距離トランシーバ５０にセルラサービスを提供する。ＢＳＳ６２は、無線通信装置１０のユーザと音声・映像システム４０との間の通信を容易にし、無線通信装置１０及び長距離トランシーバ５０に制御信号及びデータを送信する。後述するように、これらの信号は、例えば音声、映像、プレファレンス、位置に関するメッセージを含みうる。
【００２０】
ＭＳＣ６６は、ＢＳＳ６２を介して無線通信装置１０及びトランシーバ５０との間で行き来する呼をルーティングし、ホーム・ロケーション・レジスタ（ＨＬＲ）６８、在圏ロケーション・レジスタ（ＶＬＲ）７０及びロケーション・サーバ（ＬＳ）７２と通信する。ＨＬＲ６８及びＶＬＲ７０は、無線通信装置１０及び長距離通信機５０の位置及び動作状態に関する情報を格納する。当業界で周知のように、ＨＬＲ６８及びＶＬＲ７０は、ＭＳＣ６６と同じ場所に設置されてもよいし、そうでなくてもよいし、あるいはＭＳＣ６６と一体化されてもよい。
【００２１】
ＬＳ７２は通常、ＢＳＳ６２がカバーするセルにサービスするのに加えて複数のセルにサービスし、例えば無線通信装置１０の地理的位置を判断するために、最新の位置データを有する１つ以上のデータベース（ＤＢ）７４を有することが好ましい。ＤＢ７４は、長距離トランシーバ５０及び／又は音声・映像システム４０の位置に関する情報も格納してもよい。この情報は、音声・映像システム４０が通信可能なゾーンとして識別される地理的地域の境界を定める経緯度を有してもよい。そのゾーンの範囲は典型的には、無線通信装置１０のユーザがディスプレイ４８を見ることのできる範囲と同等とするとよいが、所望により広狭の差をつけてもよい。ネットワーク６０は、無線通信装置１０が音声・映像システム４０の中又は近傍にあることを検出している間、無線通信装置１０の識別情報を音声・無線システム４０に送信するようにしてもよい。
【００２２】
前述のように、本発明は、共用ディスプレイ４８に表示されている映像信号に付随する音声信号を無線通信装置１０に配信する。音声信号は通常、表示されている映像と同期して、所望の場合には暗号化されて、短距離インタフェース又は無線通信ネットワーク６０を介して、無線通信装置１０に送信される。無線通信装置１０が音声信号を受信すると、音声処理回路２４は、スピーカ１８又はヘッドセット３４を通じて可聴音として音声信号を出力する。すなわち、本発明は映像ストリームと音声ストリームとを分離して異なる装置（すなわち、それぞれ共用ディスプレイ４８と無線通信装置１０）に配信する。
【００２３】
図４は、無線通信装置１０、音声・映像システム４０及びネットワーク６０が、本発明に従って無線通信装置１０に音声信号を配信するために、どのように交信するかを説明する図である。一実施形態において、無線通信装置１０が音声・映像システム４０の近傍のゾーンに入ると、短距離トランシーバ３０、５４は、公知のブルートゥース又は他の短距離インタフェース標準規格に従って、互いに検出し、短距離トランシーバ３０、５４間に短距離通信リンクを確立することができる。この検出及び通信リンクの確立は自動的に行われてもよいし、キーパッド１４を使用したユーザの指示に応じて実施されてもよい。例えば、音声・映像システム４０は、無線通信装置１０の存在を検出し、ユーザに音声信号を受信するかどうか確認するため、短距離トランシーバ５４を介してメッセージを送信してもよい。さらに、メッセージは、長距離トランシーバ５０によりネットワーク６０を介して送信されてもよい。要求は、例えばユーザのディスプレイ１２上へのテキストメッセージの形態でもよいし、又は警報音の形態でもよく、ユーザはキーパッド１４を使用して、要求を拒否してもよいし受入れてもよい。また、ユーザは、音声・映像システム４０の存在に気付いた場合に、音声・映像システム４０のアドホックネットワークに参加するべく、明示的に要求を送信してもよい。
【００２４】
すべての装置１０又はすべてのシステム４０が、短距離インタフェースを使用して通信するために必要な構成要素を装備しなくはならないわけではないことは、当業者には理解されよう。よって、本発明は、音声信号がネットワーク６０を介して無線通信装置１０に配信されうる実施形態も含む。この実施形態では、ネットワーク６０は、無線通信装置１０と音声・映像システム４０との間の信号伝送を中継することができる。例えば、ＭＳＣ６６は、音声・映像システム４０が動作する区域と、無線通信装置１０の現在の地理的位置との両方を認識している。ＭＳＣ６６は、無線通信装置１０がこの区域内又は近傍に位置していると判定するとき、表示中の映像に付随する音声信号をユーザが受信したいかどうかを確認するための要求を、無線通信装置１０に送信する。ユーザは、キーパッド１４を用いてその要求を受入れるか又は拒否することができる。代わりに、音声・映像システム４０は、音声・映像システム４０の近傍（例えば、所定の距離の閾値内）にある装置１０の識別情報を、ネットワーク６０に周期的に要求してもよい。次いでネットワーク６０は、音声・映像システム４０に情報を報告するか、又は音声・映像システム４０の代わって距離閾値内にあるそれらの装置１０に要求を送信することができる。無線通信装置１０が要求に対して肯定応答すると、音声・映像システム４０は、ネットワーク６０を介して無線通信装置１０に音声信号を送信する。
【００２５】
したがって、短距離及び／又は長距離通信リンクの確立ならびにそのリンクを介しての音声信号の配信は、ユーザとインタラクティブに行って実行してもよいし、そうでなくてもよい。これを容易にするために、ユーザは、無線通信装置１０又は音声・映像システム４０についてのプロファイルを事前に設定し記憶してもよいし、あるいはネットワーク６０内の他のユーザ固有データと一緒に事前に設定し記憶してもよい。プロファイルは、音声・映像システム４０からの音声信号の受信に関する特定のプレファレンスに関する情報を有してもよい。これには、ユーザが特定の音声信号を受信することに従うかどうか、ユーザが音声信号を聞く際に選択した言語、無線通信装置１０の識別情報、課金情報、選択した暗号化方法、ならびに短距離及び／又は長距離インタフェースの確立を支援する情報を有してもよい。なお、上記のプレファレンスに関する列挙は包括的なものではなく、他のプレファレンスがユーザのプロファイルの中に含まれてもよいし含まれなくてもよい。無線通信装置１０／音声・映像システム４０の自動検出時又は手動による起動時、プロファイルはメモリから読み出され、通信チャネルの確立及び／又は無線通信装置１０への音声信号の配信方法の制御に使用される。
【００２６】
一実施形態では、例えば、プロファイル内の情報は、コントローラ４４が無線通信装置１０に音声を英語で送信すべきか他の言語で送信すべきかを示す。他の実施形態では、ユーザプレファレンス情報は、表示中の映像のコンテンツに基づきリンクを確立すべきかどうかもコントローラ４４に指示する。したがって、音声・映像システム４０がスポーツ関連の映像を表示していた場合、ユーザのプロファイルがユーザはスポーツに興味があることを示す情報を有する場合だけ通信チャネルが確立されるようにしてもよい。また、ユーザプレファレンス情報が異なる指示の場合には、その通信リンクは確立されないようにすることもできる。しかし、ユーザ・プロファイルは有用ではあるが、ユーザはキーパッド１４を通してこの情報を手動で入力することもできるので、本発明の動作に必ずしも必要なものではないことは、当業者には理解されよう。
【００２７】
図５は、本発明の一実施形態を説明する図である。無線通信装置１０も音声・映像システム４０も、短距離インタフェースを介して通信できるように構成されている。この実施形態では、音声・映像システム４０は、ディスプレイ４８上に映像信号を表示している（ボックス８０）。当業界で周知のように、ブルートゥースを使用可能な装置は通常、待ち受け状態であり、その状態では他のブルートゥース使用可能装置からの信号を周期的にリッスンする。この実施形態では、無線通信装置１０が音声・映像システム４０の近傍内の範囲に入るとき、無線通信装置１０は、音声・映像システム４０から呼び出しメッセージを受信する（ボックス８２）。検出により、サービスレベル通信リンクがトランシーバ３０と５４との間に確立される（ボックス８４）。サービスレベル通信リンクの確立中、短距離トランシーバ３０、５４は、互いに同期をとることを可能にするための情報を交換する。この情報は、例えばプロトコル・ネゴシエーション、装置識別情報、能力、認証情報、クロック同期化データを有してもよい。次いで、無線通信装置１０は、メモリ２２からユーザプレファレンス情報を読み出し、音声・映像システム４０に送信してもよい（ボックス８６）。前述のように、プレファレンス情報は、とりわけユーザが音声を聞くことを望む言語を含みうる。代わりに、音声・映像システム４０が送信する１つ以上の要求メッセージに応答して、ユーザがキーパッド１４を使用してプレファレンス情報を入力し、音声・映像システム４０にそのプレファレンス情報を送信するしてもよい。
【００２８】
いったんサービスレベル・リンクが確立され、コントローラ４４がユーザプレファレンスを認識すると、短距離トランシーバ３０、５４は、音声チャネルを確立する（ボックス８８）。所望の場合には、コントローラ４４は音声を暗号化する（ボックス９０）。次いでコントローラ４４は、無線通信装置１０に表示中の映像に付随する音声信号をユーザが選択した言語で送信する（ボックス９２）。受信時、コントローラ２０は暗号化された受信音声信号を復号し（ボックス９４）、それから音声処理回路２４は、スピーカ１８又はヘッドセット３４を通して可聴音として音声信号を出力する。これらの工程のいずれかの失敗時は、音声・映像システム４０及び／又は無線通信装置１０は、通信リンクを切断することができることは、理解されるべきである。
【００２９】
図６は、無線通信装置１０及び／又は音声・映像システム４０が短距離インタフェースをたぶん装備していない場合の実施形態を説明する図である。したがって、音声・映像システム４０は、ネットワーク６０を介して無線通信装置１０に音声信号を配信する。この実施形態では、音声・映像システム４０はディスプレイ４８上に映像信号を表示している（ボックス１００）。ネットワーク６０は、音声・映像システム４０と無線通信装置１０の両方の地理的位置を認識していて、無線通信装置１０と音声・映像システム４０との間の通信リンクを仲介する（ボックス１０２）。例えば、無線通信装置１０は周期的にその位置に関する情報をネットワーク６０と送信又は受信を行うことは公知である。この情報は、ＨＬＲ６８、ＶＬＲ７０又はロケーションＤＢ７４に格納されてもよい。ネットワーク６０は、この位置情報を音声・映像システム４０の周りの境界を定める経緯度と比べてもよい。要するに、この境界は、ピコネットセルとしてもよいし、あるいはこの中ではユーザがディスプレイ４８に表示中の映像を見ることができる範囲としてもよい。次いでネットワーク６０は、無線通信装置１０にメッセージを送信して、無線通信装置１０のユーザに音声・映像システム４０から音声信号を受信する機会を提供できる。ユーザが肯定的に応答する場合には、ネットワーク６０は、音声・映像システム４０にユーザプレファレンス情報を転送する（ボックス１０４）。前述の実施形態のように、ユーザプレファレンス情報は選択言語を含みうる。
【００３０】
ユーザ情報の受信時、音声・映像システム４０は、現在表示中の映像信号に付随する音声信号を暗号化し、長距離トランシーバ５０を介してＢＢＳ６２に音声信号を送信する（ボックス１０６）。次いでＢＢＳ６２は、無線通信装置１０に音声信号を中継し（ボックス１０８）、無線通信装置１０はユーザに可聴音として音声を出力する（ボックス１１０）。前述の実施形態と同様に、通信リンクの一方又は双方の切断は、工程のいずれかの失敗時に行われてもよいし、無線通信装置１０、音声・映像システム４０又はネットワーク６０からの明示的な要求時に行われてもよい。
【００３１】
したがって、無線通信装置１０が映像信号を表示するネットワークの一部でないときでも、個別のユーザ無線通信装置１０に音声信号を配信する場合にも本発明を適用可能である。これは、周囲の雑音が受入れられないほど大きい地域に映像が表示されているときなどの多くの状況で役に立つ。さらに、本発明は、複数の異なる映像番組が表示されている状況で使用されてもよい。例えば、スポーツバーは通常、部屋の周囲に配置された複数のテレビにスポーツ関連の番組を表示する。様々な顧客を考慮して、各テレビは普通それに関連する異なる番組を有する。
【００３２】
図７に見られるように、ディスプレイ４８は、複数の区画１１２ａ〜１１２ｄに分割されている。これらの区画１１２は、１台のディスプレイ４８の部分でもよいし、又はテレビの列などの複数のディスプレイ４８でもよい。この実施形態では、コントローラ４４は、１１２ａ〜１１２ｄの各区画上に異なる映像信号を表示するように構成される。さらに、コントローラ４４は、表示中の特定の映像を識別するインジケータ１１４ａ〜１１４ｄを重ね合わせる、すなわち表示するようにも構成される。例えばサービスレベル通信リンク確立の一部として、ユーザがどの特定の映像に興味があるかを、ユーザは、キーパッド１４を介してインジケータ１１４を入力することで識別することができる。この場合、ユーザは番組１１２ａへの興味を示すためインジケータ１１４ａ、すなわち番号１１、を入力する。音声・映像システム４０による受信時、コントローラ４４は、ユーザが入力したインジケータ１１４ａに付随する音声信号だけを配信する。ユーザはその後、所望の他のインジケータを入力して、トランシーバ５０又は５４に選択した映像信号に付随する異なる音声信号を送信させることができる。
【００３３】
当然ではあるが、本発明は、本発明の必須の特徴から逸脱することなしに本明細書に具体的に記載される方法以外の方法で実施することができる。本発明の実施形態はそのすべての態様において例示であり、本発明がこれらの態様に限定されるものではない。添付の請求の範囲の主旨及び均等の範囲内にあるすべての変更は、本発明の範疇に含まれることを意図している。
【図面の簡単な説明】
【００３４】
【図１】本発明の一実施形態に従って動作するように構成された無線通信装置を示す図である。
【図２】本発明の一実施形態に従って動作するように構成された音声・映像ネットワークを示す図である。
【図３】本発明の一実施形態に従う通信リンクの確立において使用される、無線通信ネットワークの例を示す図である。
【図４】本発明の一実施形態による無線通信装置と音声・映像ネットワークと無線通信ネットワークとの間の交信を説明する図である。
【図５】本発明の一実施形態による方法を説明するフローチャートである。
【図６】本発明の一実施形態による代替方法を説明する別のフローチャートである。
【図７】本発明の代替実施形態を説明する図である。
【図１】
2008515277.tif 000003
【図２】
2008515277.tif 000004
【図３】
2008515277.tif 000005
【図４】
2008515277.tif 000006
【図５】
2008515277.tif 000007
【図６】
2008515277.tif 000008
【図７】
2008515277.tif 000009
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
音声・映像ネットワークで使用する無線通信装置（１０）であって、
前記無線通信装置（１０）が音声・映像システム（４０）のディスプレイ（４８）の近傍に位置するとき、無線通信ネットワーク（６０）における基地局サブシステム（６２）を介した前記音声・映像システム（４０）との間の長距離通信リンクを確立し、該長距離通信リンクを介して前記音声・映像システム（４０）と通信可能に接続するコントローラ（２０）と、
前記基地局サブシステム（６２）を介してリモートの相手と通信して、前記音声・映像システム（４０）が前記ディスプレイ（４８）に出力する映像信号に付随する音声信号を、前記音声・映像システム（４０）から前記長距離通信リンクを介して受信するトランシーバ（２６）と、
前記無線通信装置（１０）のユーザに対し、前記受信音声信号を可聴音として出力する音声処理回路（２４）と、
を備えることを特徴とする無線通信装置。
【請求項２】
ユーザによりあらかじめ設定されたユーザプレファレンス情報を格納するメモリ（２２）を更に備えることを特徴とする請求項１に記載の無線通信装置。
【請求項３】
前記トランシーバ（２６）は、前記音声・映像システム（４０）に前記ユーザプレファレンス情報を送信することを特徴とする請求項２に記載の無線通信装置。
【請求項４】
前記ユーザプレファレンス情報は、選択言語を指定する情報を含むことを特徴とする請求項２に記載の無線通信装置。
【請求項５】
前記ユーザが前記ユーザプレファレンス情報を手動で選択することを可能にするための、前記無線通信装置（１０）に配置されるキーパッド（１４）及びディスプレイ（１２）を更に備えることを特徴とする請求項２に記載の無線通信装置。
【請求項６】
前記コントローラ（２０）は、前記音声・映像システム（４０）に対して前記無線通信装置（１０）を証明することを特徴とする請求項１に記載の無線通信装置。
【請求項７】
前記コントローラ（２０）は、前記音声・映像システム（４０）から受信した暗号化された音声信号を復号することを特徴とする請求項１に記載の無線通信装置。
【請求項８】
前記無線通信装置（１０）は携帯電話を構成することを特徴とする請求項１に記載の無線通信装置。
【請求項９】
前記コントローラ（２０）は、前記無線通信ネットワーク（６０）から受信したメッセージに応答して音声・映像システム（４０）と通信可能に接続することを特徴とする請求項１に記載の無線通信装置。
【請求項１０】
前記メッセージは、前記無線通信装置の地理的位置に応じて前記無線通信装置により受信されるものであることを特徴とする請求項９に記載の無線通信装置。
【請求項１１】
無線通信装置（１０）に音声信号を供給する方法であって、
前記無線通信装置（１０）が音声・映像システム（４０）のディスプレイ（４８）の近傍に位置するとき、無線通信ネットワーク（６０）における基地局サブシステム（６２）を介した前記無線通信装置（１０）と前記音声・映像システム（４０）との間の長距離通信リンクを確立する確立ステップと、
前記音声・映像システム（４０）が前記ディスプレイ（４８）に出力する映像信号に付随する音声信号を、前記長距離通信リンクを通じて前記音声・映像システム（４０）から受信する受信ステップと、
受信した前記音声信号を、前記無線通信装置（１０）において、可聴音として出力する出力ステップと、
を有することを特徴とする方法。
【請求項１２】
前記確立ステップは、前記無線通信装置（１０）を認証するステップを含むことを特徴とする請求項１１に記載の方法。
【請求項１３】
前記確立ステップは、前記音声信号に関するユーザプレファレンス情報をネゴシエートするステップを含むことを特徴とする請求項１１に記載の方法。
【請求項１４】
前記長距離通信リンクを介して前記音声・映像システム（４０）に前記ユーザプレファレンス情報を送信する送信ステップを更に有することを特徴とする請求項１３に記載の方法。
【請求項１５】
前記ユーザプレファレンス情報は前記無線通信装置（１０）のメモリに格納されることを特徴とする請求項１３に記載の方法。
【請求項１６】
前記ユーザプレファレンス情報は選択言語を含むことを特徴とする請求項１３に記載の方法。
【請求項１７】
前記音声・映像システム（４０）によって送信される音声信号を選択する選択ステップを更に有することを特徴とする請求項１１に記載の方法。
【請求項１８】
前記選択ステップは、前記音声・映像システム（４０）が前記ディスプレイ（４８）上に表示する前記映像信号に関係付けられているインジケータ（１１４）を、前記基地局サブシステム（６２）を介して前記音声・映像システム（４０）に送信するステップを含むことを特徴とする請求項１７に記載の方法。
【請求項１９】
前記無線通信装置（１０）で音声信号を復号する復号ステップを更に有することを特徴とする請求項１１に記載の方法。
【請求項２０】
前記無線通信装置の地理的位置に基づいて前記基地局サブシステム（６２）からメッセージを受信し、該受信したメッセージに応答して前記長距離通信リンクを確立するステップを更に有することを特徴とする請求項１１に記載の方法。
【請求項２１】
音声・映像システム（４０）であって、
前記音声・映像システム（４０）により出力される映像信号を表示するディスプレイ（４８）と、
無線通信装置（１０）が前記ディスプレイ（４８）の近傍に位置するとき、基地局サブシステム（６２）を介した前記音声・映像システム（４０）と前記無線通信装置との間の長距離通信リンクを確立し、前記映像信号を前記ディスプレイに出力するコントローラ（４４）と、
前記映像信号に付随する音声信号を、前記長距離通信リンクを介して無線通信装置（１０）に送信するトランシーバ（５０）と、
を備えることを特徴とする音声・映像システム。
【請求項２２】
前記コントローラ（４４）は更に、前記音声信号に関するユーザプレファレンス情報をネゴシエートすることを特徴とする請求項２１に記載の音声・映像システム。
【請求項２３】
前記コントローラ（４４）に結合され、前記ユーザプレファレンス情報を格納するメモリ（４６）を更に有し、前記コントローラ（４４）は、前記通信リンクが確立されたときに前記ユーザプレファレンス情報を読み込むことを特徴とする請求項２２に記載の音声・映像システム。
【請求項２４】
前記トランシーバは、前記長距離通信リンクを介して、前記無線通信装置（１０）から前記ユーザプレファレンス情報を受信することを特徴とする請求項２２に記載の音声・映像システム。
【請求項２５】
前記ユーザプレファレンス情報は選択言語を含むことを特徴とする請求項２２に記載の音声・映像システム。
【請求項２６】
前記コントローラ（４４）は更に、前記無線通信装置（１０）を認証することを特徴とする請求項２１に記載の音声・映像システム。
【請求項２７】
前記コントローラ（４４）は更に、前記無線通信装置（１０）に前記音声信号を送信する前に、前記音声信号を暗号化することを特徴とする請求項２１に記載の音声・映像システム。
【請求項２８】
複数の映像信号を表示する複数のディスプレイ（１１２）を更に備え、前記コントローラ（４４）は、前記複数のディスプレイ（１１２）に前記複数の映像信号を出力することを特徴とする請求項２１に記載の音声・映像システム。
【請求項２９】
前記コントローラ（４４）は更に、前記複数の映像信号の各映像信号に、各映像信号と対応する音声信号を関係付けるインジケータ（１１４）を割り当てることを特徴とする請求項２８に記載の音声・映像システム。
【請求項３０】
前記コントローラ（４４）は、前記トランシーバが選択したインジケータに関係付けられている前記音声信号を前記無線通信装置（１０）に送信するよう前記トランシーバを制御することを特徴とする請求項２９に記載の音声・映像システム。
【請求項３１】
前記コントローラ（４４）は、前記基地局サブシステム（６２）から前記無線通信装置（１０）の地理的位置に関連するメッセージを受信したこと応答して前記長距離通信リンクを確立することを特徴とする請求項２１に記載の音声・映像システム。
【請求項３２】
前記メッセージは、前記無線通信装置（１０）を識別する識別情報を含むことを特徴とする請求項３１に記載の音声・映像システム。
【請求項３３】
無線通信装置（１０）に音声信号を供給する方法であって、
音声・映像システム（４０）のディスプレイ（４８）上に映像信号を出力する出力ステップと、
前記ディスプレイ（４８）の近傍に無線通信装置（１０）が位置するときに、無線通信ネットワーク（６０）における基地局サブシステム（６２）を介した前記無線通信装置（１０）と前記音声・映像システム（４０）との間の長距離通信リンクを確立する確立ステップと、
前記ディスプレイ（４８）に出力される前記映像信号に付随する音声信号を、前記長距離通信リンクを介して前記無線通信装置（１０）に送信する送信ステップと、
を有することを特徴とする方法。
【請求項３４】
前記確立ステップは、前記音声・映像システム（４０）で前記無線通信装置（１０）を認証するステップを含むことを特徴とする請求項３３に記載の方法。
【請求項３５】
前記確立ステップは、前記音声信号に関するユーザプレファレンス情報をネゴシエートするネゴシエーションステップを含むことを特徴とする請求項３３に記載の方法。
【請求項３６】
前記ネゴシエーションステップは、前記無線通信装置（１０）から前記ユーザプレファレンス情報を受信するステップを含むことを特徴とする請求項３５に記載の方法。
【請求項３７】
前記ネゴシエーションステップは、前記音声・映像システム（４０）でメモリ（４６）から前記ユーザプレファレンス情報を読み出すステップを含むことを特徴とする請求項３５に記載の方法。
【請求項３８】
前記ユーザプレファレンス情報は選択言語を含むことを特徴とする請求項３５に記載の方法。
【請求項３９】
前記無線通信装置（１０）に前記音声信号を送信する前に、前記音声信号を暗号化するステップを更に有することを特徴とする請求項３３に記載の方法。
【請求項４０】
前記音声・映像システム（４０）に配置される複数のディスプレイ（１１２）に、複数の映像信号を出力するステップを更に備えることを特徴とする請求項３３に記載の方法。
【請求項４１】
前記複数の映像信号の各映像信号にインジケータ（１１４）を割り当てるステップを更に有し、各インジケータは前記映像信号と対応する音声信号を関係付けることを特徴とする請求項４０に記載の方法。
【請求項４２】
前記ディスプレイ（１１２）上に、前記割り当てられた映像信号とともに前記インジケータ（１１４）を表示するステップを更に有することを特徴とする請求項４１に記載の方法。
【請求項４３】
前記無線通信装置（１０）から選択されたインジケータを受信するステップと、前記選択されたインジケータに関係付けられる前記音声信号を前記無線通信装置（１０）に送信するステップとを更に有することを特徴とする請求項４２に記載の方法。
【請求項４４】
前記確立ステップは、前記無線通信装置（１０）からのメッセージを前記長距離通信リンクを介して受信したことに応答して実行されることを特徴とする請求項３３に記載の方法。
【請求項４５】
前記メッセージは、前記無線通信装置（１０）を識別する識別情報を含むことを特徴とする請求項４４に記載の方法。
【国際調査報告】
2008515277.tif 000010
2008515277.tif 000011
2008515277.tif 000012